【事件の表示】
　特願２００１−１８９８９５「ポリアミド樹脂」拒絶査定不服審判事件〔平成１５年１月８日出願公開、特開２００３−２９６６〕について、次のとおり審決する。
【結　論】
　本件審判の請求は、成り立たない。
【理　由】
第１　手続の経緯 
　本願は、平成１３年６月２２日の出願であって、平成２３年２月８日付けで拒絶理由が通知され、同年４月７日に意見書が提出され、同年８月１８日付けで拒絶理由が通知され、同年１０月２５日に意見書が提出され、同年１２月２日付けで拒絶理由が通知され、平成２４年２月８日に意見書とともに手続補正書が提出されたが、同年同月２３日付けで拒絶査定がなされ、これに対し、同年６月５日に拒絶査定不服審判請求がなされると同時に手続補正書が提出され、平成２４年８月３日付けで前置報告がなされ、当審において平成２５年１月１１日付けで、審査官の作成した前置報告書を利用した審尋を行ったところ、それに対し、同年３月１９日に回答書が提出されたものである。
　
第２　平成２４年６月５日付けの手続補正についての補正の却下の決定
［補正の却下の決定の結論］  
　平成２４年６月５日付けの手続補正を却下する。  
　
［理由］
１．補正の内容  
　平成２４年６月５日付けの手続補正（以下、「本件補正」という。）は、本件補正前の特許請求の範囲の請求項１の記載、
「ジアミン成分とジカルボン酸成分からなるポリアミド樹脂であって、ジアミン成分の８０モル％以上がｍ−キシリレンジアミンであり、ジカルボン酸成分がアジピン酸、セバシン酸、イソフタル酸、またはこれらの組合せであり、かつ、イミノ化合物に基づく窒素と三級アミドに基づく窒素の合計の二級アミドに基づく窒素に対するモル比（モル％）で表わされる三級窒素の含有量が０．５モル％以下であることを特徴とするポリアミド樹脂。」
を、
「ジアミン成分とジカルボン酸成分からなるポリアミド樹脂であって、ジアミン成分がｍ−キシリレンジアミンで、ジカルボン酸成分がアジピン酸であり、かつ、イミノ化合物に基づく窒素と三級アミドに基づく窒素の合計の二級アミドに基づく窒素に対するモル比（モル％）で表わされる三級窒素の含有量が０．５モル％以下であることを特徴とするポリアミド樹脂。」
とする補正を含むものであり、かかる補正は次の補正事項１及び２を含むものである。
　
補正事項１：本件補正前の請求項１に記載した発明を特定するために必要な事項（以下、「発明特定事項」という。）である「ジアミン成分」について、「８０モル％以上がｍ−キシリレンジアミン」を、「ｍ−キシリレンジアミン」とする補正。
　
補正事項２：発明特定事項である「ジカルボン酸成分」について、「アジピン酸、セバシン酸、イソフタル酸、またはこれらの組合せ」を、「アジピン酸」とする補正。
　
２．補正の目的について
　上記補正事項１及び２は、本件補正前の請求項１に記載した発明特定事項を限定するものであって、本件補正前の請求項１に記載された発明と本件補正後の請求項１に記載される発明の産業上の利用分野及び解決しようとする課題が同一のものであるので、平成１８年法律第５５号改正附則第３条第１項によりなお従前の例によるとされる同法による改正前の特許法（以下、単に「特許法」という。）第１７条の２第４項第２号に掲げる特許請求の範囲の減縮を目的とするものに該当する。
　
３．独立特許要件の有無について
　そこで、本件補正後の請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（１）本願補正発明  
　本願補正発明は、次のとおりのものである。  
「ジアミン成分とジカルボン酸成分からなるポリアミド樹脂であって、ジアミン成分がｍ−キシリレンジアミンで、ジカルボン酸成分がアジピン酸であり、かつ、イミノ化合物に基づく窒素と三級アミドに基づく窒素の合計の二級アミドに基づく窒素に対するモル比（モル％）で表わされる三級窒素の含有量が０．５モル％以下であることを特徴とするポリアミド樹脂。」 
　
（２）特許法第２９条第２項について
ア　刊行物及びその記載事項
　原査定の拒絶の理由で引用された、本願の出願前に頒布された刊行物である、特開平９−３１６１９１号公報（以下、「引用文献２」という。）には、以下の事項が記載されている。
（ア）「（Ａ）ジアミン成分単位全体に対してメタキシリレンジアミン成分単位が２０〜１００モル％、および、炭素原子数が４〜１８のアルキレン基を有する脂肪族および／または脂環族ジアミン成分単位が０〜８０モル％からなるジアミン成分単位が２５〜５０モル％、（Ｂ）ジカルボン酸成分単位としての炭素原子数が６〜１８の直鎖状脂肪族ジカルボン酸成分単位が２５〜５０モル％、および、（Ｃ）炭素原子数が４〜１２の脂肪族ω−アミノカルボン酸成分単位が０〜５０モル％（ただし、成分単位（Ａ）と成分単位（Ｂ）は等モル％であり、かつ、成分単位（Ａ）、（Ｂ）および（Ｃ）の合計は１００モル％である）から構成される数平均分子量が８００以上のオリゴマーを、２４０℃以下の温度での前重合によって製造し、続いてこのオリゴマーを用いて、得られるポリマーの融点より１０℃高い温度以上、２８０℃以下の範囲の温度で溶融重合することによりゲルや黄着色のないポリマーを得ることを特徴とするポリアミドの製造方法。」（特許請求の範囲請求項１）
　
（イ）「【従来の技術】メタキシリレンジアミンを原料とするポリアミドの製造において、均質で良好なポリアミドを製造するには、重合中にゲル化を起こさせないことが重要である。それには、ゲル化の主要因と考えられているメタキシリレンジアミン２量化脱アンモニア反応によって起こる第２級アミンの生成を極力抑えたポリアミドの製造方法を確立することが要求される。」（段落０００２）
　
（ウ）「そこで、本発明の目的は、・・・を原料とするポリアミドを製造する方法において、メタキシリレンジアミン間の２量化脱アンモニア反応によって生成する第２級アミンのアミノ基濃度（〔ＮＨ〕）を実質的にゼロに抑えた、ゲルや黄着色のない均質で良好なフィルム成形性のあるポリアミドの製造方法を提供することにある。」（段落０００５）
　
（エ）「さらに、ジカルボン酸成分原料（Ｂ）としての炭素原子数が６〜１８の直鎖状脂肪族ジカルボン酸としては、例えば、ブタンジオン酸、ペンタンジオン酸、ヘキサンジオン酸、ヘプタンジオン酸、オクタンジオン酸、ノナンジオン酸、デカンジオン酸、ウンデカンジオン酸、ドデカンジオン酸、トリデカンジオン酸、テトラデカンジオン酸、ペンタデカンジオン酸およびヘキサデカンジオン酸などを挙げることができる。」（段落００１０）
　
（オ）「このようにして得られる本発明のバリヤーフィルム用ポリアミドは、前述したようなポリアミド形成成分単位からなるホモポリアミドもしくはコポリアミドであり、Ｍｎが７０００〜３００００の範囲にあるものである。」（段落００２７）
　
（カ）「実施例１
攪拌機、温度計、圧力計、窒素ガス導入口、放圧口および重合物取り出し口を備えた容量１リットルの圧力容器に、メタキシリレンジアミンとアジピン酸からなる等モル塩（ＭＸＤ６塩）２１０ｇ（０．７４４モル）、ヘキサメチレンジアミンとアジピン酸からなる等モル塩（６６塩）９０ｇ（０．３４３モル）、水３３ｇおよび次亜リン酸ナトリウム１水和物０．２３ｇ（０．００２１７モル）を仕込んだ。」（段落００４１）
　
　また、原査定の拒絶の理由で引用された、本願の出願前に頒布された刊行物である、特開２０００−７２８７１号公報（以下、「引用文献１」という。）には、以下の事項が記載されている。
（キ）「密閉空気下で２９０℃、２４時間加熱処理したポリアミドの三級アミドをＮＭＲで測定したとき、全アミド結合に対する三級アミドの比率が２ｍｏｌ％以下であることを特徴とするポリアミド。」（特許請求の範囲請求項１）
　
（ク）「【発明の属する技術分野】本発明は、ゲル化を抑制したポリアミド、その製造方法、ポリアミド繊維およびポリアミド成形品に関する。さらに詳細には、耐熱性、溶融状態で長期間滞留してもゲル生成が少ない熱安定性に優れたポリアミドに関する。」（段落０００１）
　
（ケ）「本発明に用いられるポリアミドは、例えば、ε−カプロラクタム、アミノカプロン酸、１１−アミノウンデカン酸などの重合物、ヘキサメチレンジアミン、ノナメチレンジアミン、メタキシリレンジアミンなどのジアミンとテレフタル酸、アジピン酸、イソフタル酸、セバシン酸などのジカルボン酸とを重縮合させて得られる重合体またはこれらの共重合体、あるいはこれらの重合体もしくは共重合体の混合物などがあげられる。なかでもヘキサメチレンジアミンとアジピン酸から得られるポリヘキサメチレンアジパミドが好ましく用いられる。」（段落００１０）
　
（コ）「このとき全アミド結合に対する三級アミドの比率が２ｍｏｌ％よりも大きいと、ゲル化が起こりやすくなる。好ましくは全アミド結合に対する三級アミドの比率は１ｍｏｌ％以下である。さらに好ましくは全アミド結合に対する三級アミドの比率は０．８５ｍｏｌ％以下である。」（段落００１２）
　
イ　引用文献２に記載の発明
　引用文献２には、 
「（Ａ）ジアミン成分単位全体に対してメタキシリレンジアミン成分単位が２０〜１００モル％、および、炭素原子数が４〜１８のアルキレン基を有する脂肪族および／または脂環族ジアミン成分単位が０〜８０モル％からなるジアミン成分単位が２５〜５０モル％、（Ｂ）ジカルボン酸成分単位としての炭素原子数が６〜１８の直鎖状脂肪族ジカルボン酸成分単位が２５〜５０モル％、および、（Ｃ）炭素原子数が４〜１２の脂肪族ω−アミノカルボン酸成分単位が０〜５０モル％（ただし、成分単位（Ａ）と成分単位（Ｂ）は等モル％であり、かつ、成分単位（Ａ）、（Ｂ）および（Ｃ）の合計は１００モル％である）から構成される数平均分子量が８００以上のオリゴマーを、２４０℃以下の温度での前重合によって製造し、続いてこのオリゴマーを用いて、得られるポリマーの融点より１０℃高い温度以上、２８０℃以下の範囲の温度で溶融重合することによりゲルや黄着色のないポリマーを得ることを特徴とするポリアミドの製造方法。」（摘示（ア））に係る発明が記載されているから、当該製造方法によって製造されたポリアミドに係る発明が記載されていると言える。
　したがって、引用文献２には、
「（Ａ）ジアミン成分単位全体に対してメタキシリレンジアミン成分単位が２０〜１００モル％、および、炭素原子数が４〜１８のアルキレン基を有する脂肪族および／または脂環族ジアミン成分単位が０〜８０モル％からなるジアミン成分単位が２５〜５０モル％、（Ｂ）ジカルボン酸成分単位としての炭素原子数が６〜１８の直鎖状脂肪族ジカルボン酸成分単位が２５〜５０モル％、および、（Ｃ）炭素原子数が４〜１２の脂肪族ω−アミノカルボン酸成分単位が０〜５０モル％（ただし、成分単位（Ａ）と成分単位（Ｂ）は等モル％であり、かつ、成分単位（Ａ）、（Ｂ）および（Ｃ）の合計は１００モル％である）から構成される数平均分子量が８００以上のオリゴマーを、２４０℃以下の温度での前重合によって製造し、続いてこのオリゴマーを用いて、得られるポリマーの融点より１０℃高い温度以上、２８０℃以下の範囲の温度で溶融重合することにより得られるゲルや黄着色のないポリアミド」に係る発明（以下、「引用発明」という。）が記載されていると言える。
　
ウ　対比
　引用発明のジアミン成分は、「メタキシリレンジアミン成分単位が２０〜１００モル％」であり、ポリアミドとしてホモポリアミドが採用できる（摘示（オ））ことから、ジアミン成分としてメタキシリレンジアミンのみを採用できることは明らかである。
　引用発明のジカルボン酸成分は、炭素原子数が６〜１８の直鎖状脂肪族ジカルボン酸成分であって、具体的に引用文献２に、「例えば、ブタンジオン酸、ペンタンジオン酸、ヘキサンジオン酸・・・」（摘示（エ））と記載され、また実施例１ではアジピン酸（ヘキサンジオン酸）のみが採用（摘示（カ））されており、さらに、ポリアミドとしてホモポリアミドが採用できる（摘示（オ））ことから、アジピン酸のみを採用できることは明らかである。
　したがって、本願補正発明と引用発明とは、
「ジアミン成分とジカルボン酸成分からなるポリアミド樹脂であって、ジアミン成分がｍ−キシリレンジアミンで、ジカルボン酸成分がアジピン酸であるポリアミド樹脂。」の点で一致し、下記の相違点１で相違する。 
 　 
＜相違点１＞ 
　本願補正発明のポリアミド樹脂は、「イミノ化合物に基づく窒素と三級アミドに基づく窒素の合計の二級アミドに基づく窒素に対するモル比（モル％）で表わされる三級窒素の含有量が０．５モル％以下である」と特定されているのに対し、引用発明ではかかる特定はなされていない点。 
　
エ　相違点１についての判断  
　本願補正発明において、上記の「イミノ化合物に基づく窒素と三級アミドに基づく窒素の合計の二級アミドに基づく窒素に対するモル比（モル％）で表わされる三級窒素の含有量」を特定の数値以下としているのは、平成２４年６月５日に提出された手続補正書により補正された明細書の段落００１４における「三級窒素含有量が少ないほどゲル化に対する分子量依存性が小さくなり」、「三級窒素の含有量が０．５モル％を超えると、低分子量域でもゲル化が生じ」等の記載からみて、ゲル化を抑制するためであるといえる。
　ここで、引用発明は、「ゲルや黄着色のないポリアミド」であって、さらに引用文献２には、「ゲル化の主要因と考えられているメタキシリレンジアミン２量化脱アンモニア反応によって起こる第２級アミンの生成を極力抑えたポリアミドの製造方法を確立することが要求され」（摘示（イ））、「メタキシリレンジアミン間の２量化脱アンモニア反応によって生成する第２級アミンのアミノ基濃度（〔ＮＨ〕）を実質的にゼロに抑えた、ゲルや黄着色のない均質で良好なフィルム成形性のあるポリアミドの製造方法を提供する」（摘示（ウ））と記載されていることからみて、ゲル化を抑制するために、ゲル化の原因であるメタキシリレンジアミン２量化脱アンモニア反応を抑制、すなわち、イミノ化合物の生成を抑制している。
　また、引用文献１には、摘示（キ）〜（コ）からみて、ポリアミド中の三級アミドの含有量を減らすことでポリアミドのゲル化が抑制されることが開示されているといえる。
　してみると、引用発明において、ゲル化を抑制するために、イミノ化合物の生成を抑制することのみならず、三級アミドをも考慮し、これらの含有量をできるだけ少なくすることは、この発明の技術の分野における通常の知識を有する者（以下、「当業者」という。）であれば容易に想到しうることである。
　そして、イミノ化合物及び三級アミドの含有量を少なくすれば、本願補正発明の三級窒素の量、すなわちイミノ化合物に基づく窒素と三級アミドに基づく窒素の合計の二級アミドに基づく窒素に対するモル比、も少なくなることとなり、また、本願補正発明の三級窒素の含有量について、「０．５モル％以下」と数値限定を行っているが、かかる限定は、単に少なければ少ないほど良いという程度のことであって、格別の臨界的意義があるとも認められない。
　
オ　小括 
　よって、本願補正発明は、引用文献１及び２に記載された発明に基いて当業者が容易に発明をすることができたものであるから、特許法第２９条第２項の規定により、特許出願の際独立して特許を受けることができない。
　
４．まとめ  
　以上のとおりであるから、本件補正は、特許法第１７条の２第５項において準用する同法第１２６条第５項の規定に違反するので、同法第１５９条第１項において読み替えて準用する同法第５３条第１項の規定により却下すべきものである。  
 　  
第３．原査定の妥当性についての判断  
１．本願発明について  
　平成２４年６月５日付けの手続補正は、上記のとおり却下されたので、本願の請求項１及び２に係る発明は、平成２４年２月８日付けの手続補正書により補正された明細書の記載からみて、その特許請求の範囲の請求項１及び２に記載された事項により特定されるとおりのものと認められるところ、そのうち請求項１に係る発明（以下、「本願発明１」という。）は、次のとおりのものである。  
　
「ジアミン成分とジカルボン酸成分からなるポリアミド樹脂であって、ジアミン成分の８０モル％以上がｍ−キシリレンジアミンであり、ジカルボン酸成分がアジピン酸、セバシン酸、イソフタル酸、またはこれらの組合せであり、かつ、イミノ化合物に基づく窒素と三級アミドに基づく窒素の合計の二級アミドに基づく窒素に対するモル比（モル％）で表わされる三級窒素の含有量が０．５モル％以下であることを特徴とするポリアミド樹脂。」
　
２．原査定の拒絶の理由
　原査定の拒絶の理由１は、以下の理由を含むものである。
「理由１：本願発明１は、引用文献１及び２に記載された発明に基いて当業者が容易に発明をすることができたものであるから、特許法第２９条第２項の規定により特許を受けることができない。
　引用文献
　１．特開２０００−０７２８７１号公報
　２．特開平０９−３１６１９１号公報」
　
３．引用文献２の記載事項及び引用発明  
　引用文献２の記載事項及び引用発明は、前記「第２＿３．（２）ア及びイ」に記載したとおりである。
　　
４．本願発明１について　  
　本願補正発明は、前記第２＿１．及び２．に記載したように、本願発明１の「ジアミン成分」及び「ジカルボン酸成分」を限定したものであるから、本願発明１は、本願補正発明を包含するものである。 
　そして、本願補正発明が、前記第２＿３．（２）に記載したとおり、引用文献１及び２に記載された発明に基いて当業者が容易に発明をすることができたものであるから、本願発明１も同様の理由により、引用文献１及び２に記載された発明に基いて当業者が容易に発明をすることができたものである。 
　
５．まとめ
　以上のとおりであるから、本願発明１についての原査定の拒絶の理由１は妥当である。
　
第４　むすび
　以上のとおりであるから、本願の請求項１に係る発明についての原査定の拒絶の理由１は妥当なものであり、他の請求項に係る発明について検討するまでもなく、本願はこの理由により拒絶すべきものである。
　
　よって、結論のとおり審決する。